(57)【要約】【課題】撮像装置において、ユーザが所望する検出率と検出速度のバランスで対象物の検出を行うことができるようにする。【解決手段】撮像装置は、被写体を撮像して取得した画像データを取得する撮像手段と、画像データから所定の対象物を検出する対象物検出手段と、対象物検出手段の検出条件をユーザが任意に設定可能な検出条件設定手段とを備える。【選択図】図４
2008311920.tif 000002
【特許請求の範囲】
【請求項１】
被写体を撮像して画像データを取得する撮像手段と、
前記画像データから所定の対象物を検出する対象物検出手段と、
前記対象物検出手段の検出条件をユーザが任意に設定可能な検出条件設定手段とを備えてなることを特徴とする撮像装置。
【請求項２】
前記検出条件が、前記対象物の向き、大きさ、傾き、検出領域の少なくとも１つを制限するものであることを特徴とする請求項１に記載の撮像装置。
【請求項３】
前記検出条件設定手段により設定された前記検出条件を表示する検出条件表示手段を備えてなることを特徴とする請求項１又は２に記載の撮像装置。
【請求項４】
前記検出条件表示手段が、前記検出条件を図示表示することを特徴とする請求項３に記載の撮像装置。
【請求項５】
前記検出条件表示手段が、前記撮像手段による前記撮像中に、前記表示することを特徴とする請求項３に記載の撮像装置。
【請求項６】
前記画像データから生成された画像ファイルを外部記録メディア又は内部メモリに記録する記録手段を備え、
前記記録時に、前記検出条件を前記画像ファイルのタグ情報に記載するタグ情報記載手段をさらに備えてなることを特徴とする請求項１〜５のいずれか１項に記載の撮像装置。
【請求項７】
前記外部記録メディア又は前記内部メモリに記録された画像ファイルを表示手段に表示する表示制御手段を備え、
前記表示手段に前記画像ファイルを表示するときに、該画像ファイルのタグ情報に記載された前記検出条件を前記表示手段に表示するタグ情報表示制御手段をさらに備えてなること特徴とする請求項６に記載の撮像装置。
【請求項８】
前記検出条件設定手段が、前記画像ファイルのタグ情報に記載された前記検出条件とは異なる検出条件を再設定可能なものであり、
前記対象物検出手段が、前記外部記録メディア又は前記内部メモリに記録された画像ファイルの画像データに対して、前記検出条件設定手段により再設定された検出条件に基づいて前記検出を行うことを特徴とする請求項６に記載の撮像装置。
【請求項９】
前記異なる検出条件が、前記画像ファイルのタグ情報に記載された前記検出条件よりも検出対象の範囲が広いものであることを特徴とする請求項８に記載の撮像装置。
【請求項１０】
前記異なる検出条件が、前記画像ファイルのタグ情報に記載された前記検出条件よりも検出対象の範囲が狭いものであることを特徴とする請求項８に記載の撮像装置。
【請求項１１】
前記検出条件設定手段が、前記画像ファイルのタグ情報に記載された前記検出条件を取得し、該取得した検出条件を保持可能なものであり、
前記対象物検出手段が、前記保持された検出条件に基づいて前記検出を行うことを特徴とする請求項６に記載の撮像装置。
【請求項１２】
前記保持された検出条件に基づく前記検出が、前記撮像手段により取得された画像データに対して行われることを特徴とする請求項１１に記載の撮像装置。
【請求項１３】
前記保持された検出条件に基づく前記検出が、前記外部記録メディア又は前記内部メモリに記録された画像ファイルの画像データに対して行われることを特徴とする請求項１１に記載の撮像装置。
【請求項１４】
前記撮像手段に本撮影を指示する撮影指示手段と、
該撮影指示手段より前記本撮影が指示されてから所定時間経過後に前記本撮影を行わせるセルフタイマー撮影手段及び／又は所定のタイミングで前記撮影指示手段に前記本撮影を行わせる自動撮影手段とをさらに備え、
前記セルフタイマー撮影手段又は前記自動撮影手段を使用して前記本撮影を行うときにのみ、
前記対象物検出手段が、前記検出条件設定手段によって設定された検出条件で前記検出を行うことを特徴とする請求項１〜１３のいずれか１項に記載の撮像装置。
【発明の詳細な説明】
【技術分野】
【０００１】
本発明はデジタルカメラ等の撮像装置に関し、特に対象物検出機能を備えた撮像装置に関するものである。
【背景技術】
【０００２】
近年、デジタルカメラやデジタルビデオカメラ等の撮像装置において、撮影画像から顔等の対象物を検出する対象物検出機能を備えた撮像装置が提案されている。このような撮像装置では、対象物検出機能による対象物の検出結果に基づいて自動露出制御や自動合焦制御等を行って被写体を撮像する撮像方法や、顔検出機能によって検出された顔の向いている方向を判定し、この判定結果に応じて被写体記録動作を行うことにより、正面を向いた顔を確実に撮影できるようにしたもの（特許文献１）等が提案されている。
【０００３】
また撮影画像から顔の向きを自動的に検出し、その顔の向きから正面を向いた顔画像を選別して照合用の正面顔画像と照合することにより特定の個人の認証を行う認証装置が開示されている（特許文献２）。
【０００４】
また顔検出機能においては、顔の検出時に撮影環境によっては顔が検出できなかったり、検出精度が悪かったり等の問題が生じる場合がある。そこで人物を含む撮影シーンを想定した撮影モードが設定されたときにのみに顔検出を行うようにした撮像装置が開示されている（特許文献３）。
【特許文献１】特開２００１−５１３３８号公報
【特許文献２】特開２００２−２８８６７０号公報
【特許文献３】特開２００６−２２９３６７号公報
【発明の開示】
【発明が解決しようとする課題】
【０００５】
顔検出機能を使用するときに、様々な向きや大きさ等、複数の異なる状態の顔を検出するように検出対象の範囲を広げる場合には、様々な状態の顔が検出可能になるが、同時に誤検出が増えてしまう虞がある。また検出対象の範囲が広がることにより、検出にかかる時間が長くなってしまうため、追従性が悪くなってしまう場合がある。ここで言う検出対象の範囲とは、空間的な検出範囲（位置）だけでなく、検出すべき対象物の状態（大きさ、向き、傾き、など）のバリエーションの意味も含む。
【０００６】
一方、顔検出機能を使用して撮影を行う際、顔検出の速度を重視したい場合や顔検出率を重視したい場合等、撮影シーンによってユーザの要求が変化する場合があり、このような場合に、上記従来の顔検出機能では顔検出の条件を設定や変更することが困難である。
【０００７】
本発明はかかる事情に鑑みてなされたものであり、ユーザが所望する検出率と検出速度のバランスで対象物の検出を行うことができる撮像装置を提供することを目的とするものである。
【課題を解決するための手段】
【０００８】
本発明の撮像装置は、被写体を撮像して画像データを取得する撮像手段と、
画像データから所定の対象物を検出する対象物検出手段と、
対象物検出手段の検出条件をユーザが任意に設定可能な検出条件設定手段とを備えてなることを特徴とするものである。
【０００９】
なお本発明において「設定」は「変更」を含むものとする。
【００１０】
本発明の撮像装置は、検出条件が、対象物の向き、大きさ、傾き、検出領域の少なくとも１つを制限するものであることが好ましい。
【００１１】
また本発明の撮像装置は、検出条件設定手段により設定された検出条件を表示する検出条件表示手段を備えることができる。
【００１２】
この場合、検出条件表示手段は、検出条件を図示表示することができる。
【００１３】
また検出条件表示手段が、撮像手段による前記撮像中に、前記表示することができる。
【００１４】
また本発明の撮像装置は、画像データから生成された画像ファイルを外部記録メディア又は内部メモリに記録する記録手段を備え、
記録時に、検出条件を画像ファイルのタグ情報に記載するタグ情報記載手段をさらに備えてもよい。
【００１５】
この場合、外部記録メディア又は内部メモリに記録された画像ファイルを表示手段に表示する表示制御手段を備え、
表示手段に画像ファイルを表示するときに、該画像ファイルのタグ情報に記載された検出条件を表示手段に表示するタグ情報表示制御手段をさらに備えてもよい。
【００１６】
また検出条件設定手段が、画像ファイルのタグ情報に記載された検出条件とは異なる検出条件を再設定可能なものであり、
対象物検出手段が、外部記録メディア又は内部メモリに記録された画像ファイルの画像データに対して、検出条件設定手段により再設定された検出条件に基づいて検出を行うことができる。
【００１７】
また異なる検出条件が、画像ファイルのタグ情報に記載された検出条件よりも検出対象の範囲が広いものであってもよいし、狭いものであってもよい。
【００１８】
また本発明の撮像装置は、検出条件設定手段が、画像ファイルのタグ情報に記載された検出条件を取得し、該取得した検出条件を保持可能なものであり、
対象物検出手段が、保持された検出条件に基づいて検出を行うことができる。
【００１９】
この場合、保持された検出条件に基づく検出は、撮像手段により取得された画像データに対して行ってもよいし、外部記録メディア又は内部メモリに記録された画像ファイルの画像データに対して行ってもよい。
【００２０】
本発明の撮像装置は、撮像手段に本撮影を指示する撮影指示手段と、
撮影指示手段より本撮影が指示されてから所定時間経過後に本撮影を行わせるセルフタイマー撮影手段及び／又は所定のタイミングで撮影指示手段に本撮影を行わせる自動撮影手段とをさらに備え、
セルフタイマー撮影手段又は自動撮影手段を使用して本撮影を行うときにのみ、
対象物検出手段が、検出条件設定手段によって設定された検出条件で検出を行うことができる。
【発明の効果】
【００２１】
本発明の撮像装置によれば、対象物検出手段の検出条件をユーザが任意に設定可能なので、ユーザが自分自身で対象物検出手段の検出条件を設定し、対象物検出手段にユーザが意図する検出対象物を検出させることができるので、対象物の検出においてユーザが所望するように検出率と高速性とのバランスをとることが可能となる。これにより例えば対象物を顔として検出を行うときに、予め大きい顔のみを撮影することが分かっている場合には、小さい顔まで検出しないように検出条件を設定することにより、不要な検出を行わないようにすることができるので、誤検出を防止すると共に処理時間を短縮することができる。
【発明を実施するための最良の形態】
【００２２】
以下、本発明の撮像装置の実施の形態を図面を参照して詳細に説明する。尚、以下の実施の形態では、本発明における撮像装置としてデジタルカメラを例に説明するが、本発明の適用範囲はこれに限定されず、例えば、カメラ付き携帯電話、カメラ付きＰＤＡ等、電子撮像機能を備えた他の電子機器に対しても適用可能である。
【００２３】
図１及び図２は、デジタルカメラの一例を示すものであり、それぞれ背面側及び前面側から見た外観図である。デジタルカメラ１の本体１０の背面には、図１に示す如く、撮影者による操作のためのインターフェースとして、動作モードスイッチ１１、メニュー／ＯＫボタン１２、ズーム／上下レバー１３、左右ボタン１４、Ｂａｃｋ（戻る）ボタン１５、表示切替ボタン１６が設けられ、更に撮影のためのファインダ１７、撮影並びに再生のためのモニタ１８及びレリーズボタン（撮影指示手段）１９、顔検出ボタン２７が設けられている。
【００２４】
動作モードスイッチ１１は、静止画撮影モード、動画撮影モード、再生モードの各動作モードを切り替えるためのスライドスイッチである。メニュー／ＯＫボタン１２は、押下される毎に撮影モード、フラッシュ発光モード、セルフタイマーＯＮ／ＯＦＦ、記録画素数や感度等の設定を行うための各種メニューをモニタ１８に表示させたり、モニタ１８に表示されたメニューに基づく選択・設定を決定したりするためのボタンである。
【００２５】
ズーム／上下レバー１３は、上下方向に倒すことによって、撮影時には望遠／広角の調整が行われ、各種設定時にはモニタ１８に表示されるメニュー画面中のカーソルが上下に移動して表示される。左右ボタン１４は、各種設定時にモニタ１８に表示されるメニュー画面中のカーソルを左右に移動して表示させるためのボタンである。
【００２６】
Ｂａｃｋ（戻る）ボタン１５は、押下されることによって各種設定操作を中止し、モニタ１８に１つ前の画面を表示するためのボタンである。表示切替ボタン１６は、押下することによってモニタ１８の表示のＯＮ／ＯＦＦ、各種ガイド表示、文字表示のＯＮ／ＯＦＦ等を切り替えるためのボタンである。ファインダ１７は、ユーザが被写体を撮影する際に構図やピントを合わせるために覗くためのものである。ファインダ１７から見える被写体像は、本体１０の前面にあるファインダ窓２３を介して映し出される。顔検出ボタン２７は、後述の顔検出部６５による顔検出のＯＮ／ＯＦＦを切り替えるためのボタンである。
【００２７】
以上説明した各ボタン及びレバーの操作によって設定された内容は、モニタ１８中の表示や、ファインダ１７内のランプ、スライドレバーの位置等によって確認可能となっている。また、モニタ１８には、撮影の際に被写体確認用のスルー画像が表示される。これにより、モニタ１８は電子ビューファインダとして機能する他、撮影後の静止画や動画の再生表示、各種設定メニューの表示を行う。ユーザによってレリーズボタン１９が半押し操作されると、後述するＡＥ処理及びＡＦ処理が行われ、レリーズボタン１９が全押し操作されると、ＡＥ処理及びＡＦ処理によって出力されたデータに基づいて撮影が行われ、モニタ１８に表示された画像が撮影画像として記録される。
【００２８】
更に、本体１０の前面には、図２に示す如く、撮影レンズ２０、レンズカバー２１、電源スイッチ２２、ファインダ窓２３、フラッシュライト２４、セルフタイマーランプ２５及びＡＦ補助光２８が設けられ、側面にはメディアスロット２６が設けられている。
【００２９】
撮影レンズ２０は、被写体像を所定の結像面上（本体１０内部にあるＣＣＤ等）に結像させるためのものであり、フォーカスレンズやズームレンズ等によって構成される。レンズカバー２１は、デジタルカメラ１の電源がオフ状態のとき、再生モードであるとき等に撮影レンズ２０の表面を覆い、汚れやゴミ等から撮影レンズ２０を保護するものである。
【００３０】
電源スイッチ２２は、デジタルカメラ１の電源のオン／オフを切り替えるためのスイッチである。フラッシュライト２４は、レリーズボタン１９が押下され、本体１０の内部にあるシャッタが開いている間に、撮影に必要な光を被写体に対して瞬間的に照射するためのものである。セルフタイマーランプ２５は、セルフタイマーによって撮影する際に、シャッタの開閉タイミングすなわち露光の開始及び終了を被写体に知らせるためものである。
【００３１】
ＡＦ補助光２８は、例えばＬＥＤで構成され、被写体に狭い範囲の光すなわち絞った光を長時間照射することのよって後述のＡＦ処理をし易くするためのものである。メディアスロット２６は、メモリカード等の外部記録メディア７０が充填されるための充填口であり、外部記録メディア７０が充填されると、データの読み取り／書き込みが行われる。
【００３２】
図３にデジタルカメラ１の機能構成を示すブロック図を示す。図３に示す如く、デジタルカメラ１の操作系として、前述の動作モードスイッチ１１、メニュー／ＯＫボタン１２、ズーム／上下レバー１３、左右ボタン１４、Ｂａｃｋ（戻り）ボタン１５、表示切替ボタン１６、レリーズボタン１９、電源スイッチ２２と、これらのスイッチ、ボタン、レバー類の操作内容をＣＰＵ７５に伝えるためのインターフェースである操作系制御部７４が設けられている。
【００３３】
また、撮影レンズ２０を構成するものとして、フォーカスレンズ２０ａ及びズームレンズ２０ｂが設けられている。これらの各レンズは、モータとモータドライバからなるフォーカスレンズ駆動部５１、ズームレンズ駆動部５２によってステップ駆動され、光軸方向に移動可能な構成となっている。フォーカスレンズ駆動部５１は、ＡＦ処理部６２から出力されるフォーカス駆動量データに基づいてフォーカスレンズ２０ａをステップ駆動する。ズームレンズ駆動部５２は、ズーム／上下レバー１３の操作量データに基づいてズームレンズ２０ｂのステップ駆動を制御する。
【００３４】
絞り５４は、モータとモータドライバとからなる絞り駆動部５５によって駆動される。この絞り駆動部５５は、ＡＥ（自動露出）処理部６３Ａから出力される絞り値データに基づいて絞り５４の絞り径の調整を行う。
【００３５】
シャッタ５６は、メカニカルシャッタであり、モータとモータドライバとからなるシャッタ駆動部５７によって駆動される。シャッタ駆動部５７は、レリーズボタン１９の押下信号と、ＡＥ処理部６３Ａから出力されるシャッタ速度データとに応じてシャッタ５６の開閉の制御を行う。
【００３６】
上記光学系の後方には、撮影素子であるＣＣＤ（撮像手段）５８を有している。ＣＣＤ５８は、多数の受光素子がマトリクス状に配置されてなる光電面を有しており、光学系を通過した被写体像が光電面に結像され、光電変換される。光電面の前方には、各画素に光を集光させるためのマイクロレンズアレイ（不図示）と、ＲＧＢ各色のフィルタが規則的に配列されてなるカラーフィルタアレイ（不図示）とが配置されている。ＣＣＤ５８は、ＣＣＤ制御部５９から供給される垂直転送クロック信号及び水平転送クロック信号に同期して、画素毎に蓄積された電荷を１ラインずつ読み出して画像信号として出力する。各画素における電荷の蓄積時間（即ち露出時間）は、ＣＣＤ制御部５９から与えられる電子シャッタ駆動信号によって決定される。
【００３７】
ＣＣＤ５８が出力する画像像信号は、アナログ信号処理部６０に入力される。このアナログ信号処理部６０は、画像信号のノイズ除去を行う相関２重サンプリング回路（ＣＤＳ）と、画像信号のゲイン調整を行うオートゲインコントローラ（ＡＧＣ）と、画像信号をデジタル画像データに変換するＡ／Ｄコンバータ（ＡＤＣ）とからなる。そしてデジタル画像データは、画素毎にＲＧＢの濃度値を持つＣＣＤ−ＲＡＷデータである。
【００３８】
タイミングジェネレータ７２は、タイミング信号を発生させるものであり、このタイミング信号がシャッタ駆動部５７、ＣＣＤ制御部５９、アナログ信号処理部６０に入力されて、レリーズボタン１９の操作と、シャッタ５６の開閉、ＣＣＤ５８の電荷取り込み、アナログ信号処理６０の処理の同期が取られる。フラッシュ制御部７３は、フラッシュライト２４の発光動作を制御する。
【００３９】
画像入力コントローラ６１は、上記アナログ信号処理部６０から入力されたＣＣＤ−ＲＡＷデータをフレームメモリ６８に書き込む。このフレームメモリ６８は、画像データに対して後述の各種デジタル画像処理（信号処理）を行う際に使用する作業用メモリであり、例えば、一定周期のバスクロック信号に同期してデータ転送を行うＳＤＲＡＭ（Synchronous Dynamic Random Access Memory）から構成されている。
【００４０】
表示制御部（表示制御手段）７１は、フレームメモリ６８に格納された画像データをスルー画像としてモニタ１８に表示させるためのものであり、例えば、輝度（Ｙ）信号と色（Ｃ）信号を一緒にして１つの信号としたコンポジット信号に変換して、モニタ１８に出力する。スルー画像は、撮影モードが選択されている間、所定時間間隔で取得されてモニタ１８に表示される。また、表示制御部７１は、外部記録メディア７０に記憶され、メディア制御部６９によって読み出された画像ファイルに含まれる画像データに基づいた画像をモニタ１８に表示させる。
【００４１】
顔検出部（対象物検出手段）６５は、フレームメモリ６８に格納された画像データつまりスルー画像から人物の顔を検出する。具体的には、顔に含まれる顔の特徴を有する領域（例えば肌色を有する、目を有する、顔の形状を有する等）を顔領域として検出するが、これに限定されるものではない。そして顔検出ボタン２７がＯＮに設定された場合には常時スルー画像から顔の検出処理を行う。
【００４２】
なお本実施形態ではスルー画像から顔を検出するが、プレ画像、又は外部記録メディア７０や図示しない内部メモリ等に記録された画像データから顔を検出するようにしてもよい。なおプレ画像とは、レリーズボタン１９が半押しされることによって発生する半押し信号を検出したＣＰＵ７５がＣＣＤ５８にプレ撮影を実行させた結果、フレームメモリ６８に格納された画像データに基づいた画像である。また本発明において顔検出部６５は、ソフトウェアにより構成されたものであっても単独でＩＣ化されたものであってもよい。
【００４３】
検出条件設定部（検出条件設定手段）６６は、上記顔検出部６５の検出条件をユーザが任意に設定可能にする。なお検出条件設定部６６については後で詳細に説明する。
【００４４】
ＡＦ処理部６２は、顔検出部６５によって画像データから検出された顔検出結果に応じて焦点位置を検出し、フォーカスレンズ駆動量データを出力する（ＡＦ処理）。本実施の形態においては、焦点位置の検出方法としては、例えば、ピントが合った状態では画像の合焦評価値（コントラスト値）が高くなるという特徴を利用して、合焦位置を検出するパッシブ方式が適用される。
【００４５】
ＡＥ処理部６３Ａは、顔検出部６５によって画像データから検出された顔検出結果に応じて被写体輝度を測定し、測定した被写体輝度に基づいて絞り値やシャッタ速度等を決定し、絞り値データやシャッタ速度データを出力する。
【００４６】
ＡＷＢ処理部６３Ｂは、撮影された画像に対してホワイトバランスを自動調整する。
【００４７】
画像処理部６４は、本画像の画像データに対してガンマ補正、シャープネス補正、コントラスト補正等の画質補正処理を施すと共に、ＣＣＤ−ＲＡＷデータを輝度信号であるＹデータと、青色色差信号であるＣｂデータ及び赤色色差信号であるＣｒデータとからなるＹＣデータに変換するＹＣ処理を行う。この本画像とは、本撮影により得られた画像データつまりレリーズボタン１９が全押しされることによってＣＣＤ５８から画像信号が出力され、アナログ信号処理部６０、画像入力コントローラ６１経由でフレームメモリ６８に格納された画像データに基づいた画像である。
【００４８】
本画像の画素数の上限はＣＣＤ５８の画素数によって決定されるが、例えば、ユーザが設定可能な画質設定（ファイン、ノーマル等の設定）により、記録画素数を変更することができる。一方、スルー画像やプレ画像の画素数は本画像より少なくてもよく、例えば、本画像の１／１６程度の画素数で取り込まれてもよい。
【００４９】
圧縮／伸長処理部６７は、画像処理部６４によって画質補正等の処理が行われた画像データに対して、例えばＪＰＥＧ等の圧縮形式で圧縮処理を行って、画像ファイルを生成する。この画像ファイルには、各種データ形式に基づいて付帯情報が付加される。またこの圧縮／伸長処理部６７は、再生モードにおいては外部記録メディア７０から圧縮された画像ファイルを読み出し、伸長処理を行う。伸長後の画像データは表示制御部７１に出力され、表示制御部７１は画像データに基づいた画像をモニタ１８に表示する。
【００５０】
メディア制御部６９は、図２におけるメディアスロット２６に相当し、外部記録メディア７０に記憶された画像ファイル等の読み出し、又は画像ファイルの書き込みを行う。
【００５１】
ＣＰＵ７５は、各種ボタン、レバー、スイッチの操作や各機能ブロックからの信号に応じて、デジタルカメラ１の本体各部を制御する。またデータバス７６は、画像入力コントローラ６１、各種処理部６２〜６４、６７、顔検出部６５、検出条件設定部６６、フレームメモリ６８、各種制御部６９、７１、及びＣＰＵ７５に接続されており、このデータバス７６を介して各種信号、データの送受信が行われる。
【００５２】
なお外部記録メディア７０に画像ファイルを記録するときには、メディア制御部６９が記録手段として機能し、不図示の内部メモリに画像ファイルを記録するときには、ＣＰＵ７５が記録手段として機能する。
【００５３】
次に以上の構成のデジタルカメラ１の検出条件設定部６６について図面を参照して詳細に説明する。図４は検出条件として顔の向きを設定するときのメニュー画面の表示例、図５は検出条件として顔の大きさを設定するときのメニュー画面の表示例、図６は検出条件として顔の傾きを設定するときのメニュー画面の表示例、図７は検出条件として検出領域を設定するときのメニュー画面の表示例である。
【００５４】
検出条件設定部６６は、顔の検出条件として、検出する顔の向き、大きさ、傾き、検出領域等を設定するものであり、顔の向きを設定する場合には例えば図４（ａ）に示す如く、メニュー画面９１で顔検出設定９２の向き９３が選択されたときに、ユーザが全ての向きの顔を検出する「全向き対応」か、又は検出する顔の向きを個別に指定する「個別指定」を選択９４し、「個別指定」を選択したときにはユーザが正面、横向き、上向き、下向き等の顔の向きを個別にＯＮ／ＯＦＦ９５で選択することができる。
【００５５】
ここで図８に、図４（ａ）の顔検出設定処理のフローチャートを示す。図８に示す如く、ＣＰＵ７５は個別指定がＯＮに設定されているか否かを判別し（ステップＳ１）、個別指定がＯＮに設定されている場合（ステップＳ１；ＹＥＳ）には検出条件設定部６６がユーザによる設定の確認を行う（ステップＳ２）。
【００５６】
そして検出条件設定部６６は、先ず正面がＯＮにされているか否かを判別し（ステップＳ３）、ＯＮにされている場合（ステップＳ３；ＹＥＳ）には、正面顔を検出対象とし（ステップＳ４）、ＯＮにされていない場合（ステップＳ３；ＮＯ）には、正面顔は検出対象外とする（ステップＳ５）。
【００５７】
次に検出条件設定部６６は、横向きがＯＮにされているか否かを判別し（ステップＳ６）、ＯＮにされている場合（ステップＳ６；ＹＥＳ）には、横向き顔を検出対象とし（ステップＳ７）、ＯＮにされていない場合（ステップＳ６；ＮＯ）には、横向き顔は検出対象外とする（ステップＳ８）。
【００５８】
次に検出条件設定部６６は、上向きがＯＮにされているか否かを判別し（ステップＳ９）、ＯＮにされている場合（ステップＳ９；ＹＥＳ）には、上向き顔を検出対象とし（ステップＳ１０）、ＯＮにされていない場合（ステップＳ９；ＮＯ）には、上向き顔は検出対象外とする（ステップＳ１１）。
【００５９】
次に検出条件設定部６６は、下向きがＯＮにされているか否かを判別し（ステップＳ１２）、ＯＮにされている場合（ステップＳ１２；ＹＥＳ）には、下向き顔を検出対象とし（ステップＳ１３）、ＯＮにされていない場合（ステップＳ１２；ＮＯ）には、下向き顔は検出対象外とする（ステップＳ１４）。
【００６０】
そしてさらに検出条件設定部６６は、図４（ａ）のＯＮ／ＯＦＦ９５が全てＯＦＦすなわち全ての顔が検出対象外にされているか否かを判別し（ステップＳ１５）、全てが検出対象外にされている場合（ステップＳ１５；ＹＥＳ）には、どれかをＯＮにするように例えばモニタ１８に警告表示して（ステップＳ１６）、ＣＰＵ７５はユーザが再設定できるように図４（ａ）に示すメニュー画面９１を表示し、ステップＳ２へ処理を移行する。一方、全てが検出対象外にされていない場合（ステップＳ１５；ＮＯ）には、ステップＳ３〜ステップＳ４の処理により決定された検出対象を顔検出条件として設定する。
【００６１】
またステップＳ１にて個別指定がＯＮにされていない場合（ステップＳ１；ＮＯ）には、全ての顔を検出対象として顔検出条件を設定する（ステップＳ１７）。このように検出条件設定部６６は、ユーザの手動によって任意に顔検出条件を設定する。
【００６２】
なお本実施形態で顔の状態として、正面、横向き、上向き、下向き等の向きを設定しているが、図４（ｂ）に示す如く、向き９３が選択されたときに、ユーザが検出する顔の向きとして例えば横顔のみをＯＮ／ＯＦＦ９６で選択するようにしてもよい。
【００６３】
また顔の検出条件として、顔の大きさを設定する場合には、図５（ａ）に示す如く、メニュー画面９１で顔検出設定９２の大きさ９７が選択されたときに、検出対象となる顔の大きさの上限及び下限、具体的には撮像画像短辺に対する割合の上限及び下限９８をユーザが例えばズーム／上下レバー１３や左右ボタン１４等を操作することにより任意に設定する。なおこのように大きさの上限及び下限をユーザが任意に設定可能にしてもよいが、図５（ｂ）に示す如く、大きさ９７が選択されたときに、顔の大きさの上限から下限の値の範囲の候補を複数表示９９し、ユーザが例えばズーム／上下レバー１３を操作することにより前記候補から任意に選択可能にしてもよい。
【００６４】
また顔の検出条件として、顔の傾きを設定する場合には、図６（ａ）に示す如く、メニュー画面９１で顔検出設定９２の傾き１００が選択されたときに、ユーザが全ての傾き角度の顔を検出する「全角度対応」か、又は検出する顔の傾きを指定する「傾き指定」を選択１０１し、「傾き指定」を選択したときには、図６（ｂ）に示す如く、検出対象となる顔の傾きの角度の範囲すなわち上限及び下限１０２をユーザが例えばズーム／上下レバー１３や左右ボタン１４を操作することにより任意に指定する。なおこのように傾きの上限及び下限をユーザが任意に指定可能にしてもよいが、上記顔の大きさを設定する場合と同様に、上限から下限の値の範囲の候補を複数表示し、ユーザが任意に選択可能にしてもよい。
【００６５】
また顔の検出条件として検出領域を設定する場合には、図７（ａ）、（ｂ）に示す如く、メニュー画面９１で顔検出設定９２のエリア１０３が選択されたときに、ユーザが顔を検出する検出領域を、全ての画像領域を検出する「全エリア対応」か、または検出する領域を指定する「エリア指定」を選択１０４し、例えば「エリア指定」を選択したときには、予め候補に挙げられたエリアから検出領域を指定する「選択タイプ」か、又は検出するエリアの画像における座標を任意に指定する「フリータイプ」を選択する１０５。
【００６６】
「選択タイプ」が選択１０５されたときには、図７（ａ）に示す如く、例えば撮像画像において長さ比が中央の５０％の内側等、長さ比の数値や、内側か外側かの選択１０６を、ユーザが例えばズーム／上下レバー１３や左右ボタン１４等を操作することにより変更して設定することができる。
【００６７】
また「フリータイプ」が選択１０５されたときには、図７（ｂ）に示す如く、検索領域を指定するときの座標を、例えば左上（ｘ１、ｙ１）及び右下（ｘ２、ｙ２）のｘ１、ｘ２、ｙ１、ｙ２の値を、ユーザが例えばズーム／上下レバー１３や左右ボタン１４等を操作することにより変更して設定することができる。このとき座標の原点は画面中央に設定してもよい。
【００６８】
なお上述の検出条件として顔の大きさ、傾き、検出領域を設定する場合にも、顔の向きを設定する場合の顔検出条件設定処理と概略同様にして検出条件設定部６６により検出条件の設定が行われる。
【００６９】
次に上述のように顔検出条件が設定されたデジタルカメラ１の一連の処理を説明する。ここで図９にデジタルカメラ１の一連の処理のフローチャートを示す。
【００７０】
まず図９に示す如く、ＣＰＵ７５が動作モードスイッチ１１の設定に従って、動作モードが撮影モードであるか再生モードであるか判別する（ステップＳ２０）。再生モードの場合（ステップＳ２０；再生）、再生処理が行われる（ステップＳ３３）。この再生処理は、メディア制御部６９が外部記録メディア７０に記憶された画像ファイルを読み出し、画像ファイルに含まれる画像データに基づいた画像をモニタ１８に表示させるための処理である。再生処理が終了したら、ＣＰＵ７５はデジタルカメラ１の電源スイッチ２２によってオフ操作がなされたか否かを判別し（ステップＳ３２）、オフ操作がなされていなかったら（ステップＳ３２；ＮＯ）、ＣＰＵ７５はステップＳ２０へ処理を移行し、オフ操作がなされていたら（ステップＳ３２；ＹＥＳ）、デジタルカメラ１の電源をオフし、処理を終了する。
【００７１】
一方、ステップＳ２０において動作モードが撮影モードであると判別された場合（ステップＳ２０；撮影）、ＣＰＵ７５はスルー画像の表示制御を行う（ステップＳ２１）。そして次にＣＰＵ７５は、顔検出ボタン２７がＯＮに設定されているか否かを判別する（ステップＳ２２）。ＯＮに設定されている場合（ステップＳ２２；ＹＥＳ）には、顔検出部６５が検出条件設定部６６により上述のように設定された検出条件に基づいて常時スルー画像から顔の検出処理を行い（ステップＳ２３）、ＯＮに設定されていない場合（ステップＳ２２；ＮＯ）には、ＣＰＵ７５は処理をステップＳ２４へ移行する。
【００７２】
そして次にＣＰＵ７５は、レリーズボタン１９が半押しされたか否かを判別し（ステップＳ２４）、半押しがされていない場合（ステップＳ２４；ＮＯ）には、ＣＰＵ７５はステップＳ２１へ処理を移行して、以降の処理を繰り返す。
【００７３】
またレリーズボタン１９が半押しされた場合（ステップＳ２４；ＹＥＳ）には、ＡＥ処理部６３ＡがＡＥ処理を行い（ステップＳ２５）、ＡＦ処理部６２がＡＦ処理を行う（ステップＳ２６）。なおこのときＡＷＢ処理部６３ＢによりＡＷＢ処理が行われてもよい。
【００７４】
そして次にＣＰＵ７５は、レリーズボタン１９が全押しされたか否かを判別し（ステップＳ２７）、全押しされていない場合（ステップＳ２７；ＮＯ）には、レリーズボタン１９が半押し解除されたか否かを判別する（ステップＳ２８）。そして半押し解除されていない場合は（ステップ２８；ＮＯ）ＣＰＵ７５はステップＳ２７へ処理を移行し、半押し解除されている場合は（ステップＳ２８；ＹＥＳ）ＣＰＵ７５はステップＳ２１へ処理を移行する。
【００７５】
一方、レリーズボタン１９が全押しされた場合（ステップＳ２７；ＹＥＳ）には、本撮影を行う（ステップＳ２９）。そして本撮影が行われる（ステップＳ２９）と、本撮影により取得された本画像に対して画像処理部６４が画像処理を施す（ステップＳ３０）。なおこのとき画像処理が施された本画像データに対してさらに圧縮／伸長処理部６７によって圧縮処理が施されて画像ファイルが生成されてもよい。
【００７６】
次にＣＰＵ７５は、画像処理が施された本画像を、表示制御部７１を介してモニタ１８に表示する処理を行うともにメディア制御部６９を介して外部記録メディア７０に記録する（ステップ３１）。そしてＣＰＵ７５は電源スイッチ２２によってオフ操作がなされたか否かを判別し（ステップＳ３２）、オフ操作がなされていたら（ステップＳ３２；ＹＥＳ）、デジタルカメラ１の電源をオフし、処理を終了する。オフ操作がなされていなかったら（ステップＳ３２；ＮＯ）、ステップＳ２０へ処理を移行し、ステップＳ２０以降の処理を繰り返す。このようにしてデジタルカメラ１による撮影は行われる。
【００７７】
以上のようにして、本実施形態のデジタルカメラ１は、ユーザが自分自身で顔の検出条件を個別に設定し、顔検出部６５にユーザが意図する状態の顔を検出させることができるので、顔の検出においてユーザが所望するように検出率と高速性とのバランスをとることが可能となる。これにより顔の検出を行うときに、例えば予め大きい顔のみを撮影することが分かっている場合には、小さい顔まで検出しないように検出条件を設定することにより、不要な検出を行わないようにすることができるので、誤検出を防止すると共に処理時間を短縮することができる。
【００７８】
次に本発明にかかる第二の実施形態のデジタルカメラ１−２について図面を参照して詳細に説明する。図１０はデジタルカメラ１−２の機能構成を示すブロック図、図１１は検出条件として顔の傾きを設定するときの（ａ）メニュー画面の表示例及び（ｂ）図示表示例である。
【００７９】
本実施形態のデジタルカメラ１−２は、図１０に示す如く、上記実施形態のデジタルカメラ１の構成に検出条件表示部（検出条件表示手段）７７をさらに備えたものである。なお本実施形態のデジタルカメラ１−２は上述した実施形態のデジタルカメラ１と同じ箇所は同符号で示して説明を省略する。
【００８０】
検出条件表示部７７は、検出条件設定部６６により設定された検出条件を表示するものであり、例えば検出条件として顔の傾きを設定する場合には、図１１（ａ）に示す如く、設定確認図示を「する」か、又は「しない」を選択する選択項目１１０をモニタ１８に表示し、ユーザが例えば左右ボタン１４を操作することにより「する」を選択した場合には、図１１（ｂ）に示す如く、画面左側に傾き設定１１１を表示し、画面右側に傾きの設定結果すなわち顔の検出条件を図示表示する。
【００８１】
この図示表示は、図１１（ｂ）に示す如く、例えば画面右側の略中央を中心Ｃとして、中央から上方に略垂直に延びた直線ｄ１を傾き０°の線として、直線ｄ１上に顔Ｆ１の中心軸が位置するように顔Ｆ１を表示し、さらに図１１（ａ）の１０２で設定した顔の傾き角度の上限値及び下限値（本実施形態では−１２０°及び＋１２０°）に基づいて、中心Ｃを中心に直線ｄ１から左回りに１２０°回転させた直線ｄ２及び右回りに１２０°回転させた直線ｄ３を表示し、上記と同様に直線ｄ２上に顔Ｆ２、直線ｄ３上に顔Ｆ３を表示する。そして顔Ｆ１、顔Ｆ２、顔Ｆ３の近傍にそれぞれ検出対象となる顔の傾き角度の範囲内であるとして丸印を表示すると共に、顔Ｆ２及び顔Ｆ３からそれぞれ顔Ｆ１に向かう矢印を表示し、さらに顔Ｆ１とは反対側すなわち±１８０°付近の顔Ｆ２と顔Ｆ３の間に、検出対象となる顔の傾き角度の範囲外であるとしてバツ印を表示する。
【００８２】
そして、例えば画面下方に図示表示された検出条件で設定してよいか否かを選択する項目１１３を表示し、ユーザが例えば左右ボタン１４を操作することにより「ＯＫ」又は「ＮＧ」を選択可能にする。
【００８３】
こうすることにより、検出条件設定部６６により設定された検出条件に基づく検出対象の傾きの範囲が、ユーザの意図するものであるか否かを視覚的に確認することができるので、ユーザが意図しない検出条件が設定されるのを防止することができる。
【００８４】
ここで図１２に、図１１（ａ）、図１１（ｂ）の顔検出傾き設定処理のフローチャートを示す。先ずＣＰＵ７５は、図１１（ａ）において「傾き指定」が選択１０１されたか否かを判別し（ステップＳ４０）、「傾き指定」が選択１０１されている場合（ステップＳ４０；ＹＥＳ）には、ＣＰＵ７５はユーザによる設定の確認を行って（ステップＳ４１）、傾き角度の上限値が下限値より大きい値であるか否かを判別する（ステップＳ４２）。
【００８５】
そして傾き角度の上限値が下限値よりも大きい値である場合（ステップＳ４２；ＹＥＳ）、ＣＰＵ７５は、図１１（ａ）において設定確認図示を「する」が選択１１０されたか否かを判別し（ステップＳ４３）、「する」が選択されていない場合（ステップＳ４３；ＮＯ）には、設定された検出条件の範囲１０２を図示せずに検出対象として設定する（ステップＳ４４）。
【００８６】
一方、「する」が選択されている場合（ステップＳ４３；ＹＥＳ）には、検出条件表示部７７が、検出条件設定部６６により設定された検出条件の範囲１０２に基づく検出対象を、図１１（ｂ）に示すように図示表示し（ステップＳ４５）、ＣＰＵ７５は設定「ＯＫ」が選択されたか否かを判別する（ステップＳ４６）。
【００８７】
そして設定「ＯＫ」が選択されている場合（ステップＳ４６；ＹＥＳ）には、ＣＰＵ７５は処理をステップＳ４４へ移行し、設定された検出条件の範囲を検出対象として設定し（ステップＳ４４）、設定「ＯＫ」が選択されていない場合には、ＣＰＵ７５は検出対象の範囲が、ユーザが所望するものではないと判断し、ユーザが検出条件を再設定可能なようにモニタ１８の表示を図１１（ａ）の設定画面へ戻し（ステップＳ４７）、ステップＳ４１へ処理を移行する。
【００８８】
またステップＳ４２にて、傾き角度の上限値が下限値よりも小さい値である場合（ステップＳ４２；ＮＯ）、ＣＰＵ７５は傾き角度の上限値が下限値よりも大きい値になるように例えば表示制御部７１を介してモニタ１８に警告表示させ（ステップＳ４８）、ユーザに再度設定を行わせるようにして、ステップＳ４１へ処理を移行する。
【００８９】
またステップＳ４０にて「傾き指定」が選択されていない場合（ステップＳ４０；ＮＯ）には、全ての顔を検出対象として顔検出条件を設定する（ステップＳ４９）。このようにして顔検出傾き設定の処理を行う。
【００９０】
なお上記では検出条件として顔の傾きを設定する場合について説明したが、検出条件として顔の検出領域を設定してもよい。ここで図１３に検出条件として検出領域を設定するときの（ａ）メニュー画面の表示例及び（ｂ）図示表示例を示す。
【００９１】
検出条件として顔の検出領域を設定する場合は、図１３（ａ）に示す如く、上記と同様にして設定確認図示を「する」か、又は「しない」を選択する選択項目１１０を表示し、ユーザが「する」を選択した場合には、図１３（ｂ）に示す如く、画面左側にエリア設定１１４を表示し、画面右側にエリアの設定結果すなわち顔の検出条件を図示表示する。
【００９２】
この図示表示は、図１３（ｂ）に示す如く、モニタ１８に、モニタ１８の画面全体１８’と、画面全体１８’において検索領域となる検出対象エリアＳを表示し、例えば画面全体１８’の上方に、図１３（ａ）の項目１０６で設定した長さ比の値（本実施形態では５０％）に基づいて「中央５０％の内側」を表示し、下方右側に「斜線が対象エリア」を表示する。
【００９３】
そして、上記と同様に図示表示された検出条件で設定してよいか否かを選択する項目１１３を設定画面の下方に表示し、ユーザが例えば左右ボタン１４を操作することにより「ＯＫ」又は「ＮＧ」を選択可能にする。こうすることにより、検出条件設定部６６により設定された検出条件に基づく検出領域の範囲が、ユーザの意図するものであるか否かを視覚的に確認することができるので、ユーザが意図しない検出条件が設定されるのを防止することができる。
【００９４】
以上にように検出条件設定部７７によりユーザが任意に設定した検出条件を図示表示することにより、設定されている検出対象範囲が、ユーザが意図するものであるか否かを視覚的に確認することができるので、検出条件の誤設定を防止できて、ユーザが意図しない向きや大きさ等の顔が検出されるのを防止することができる。
【００９５】
なお本実施形態のデジタルカメラ１−２では、顔の検出条件を図示表示するものとしたが、本発明はこれに限られるものではなく、例えば文字等によって表示するものであってもよい。このとき例えば検出対象とする顔に制限がある場合とない場合とで、区別した表示を行うようにしてもよい。ここで図１４に検出条件として顔の大きさを設定したときの表示例を示す。
【００９６】
図５に示して説明したように検出条件として顔の大きさを設定する場合には、検出対象とする顔に制限がない、すなわち全ての大きさの顔を検出するように検出条件が設定されたときには図１４（ａ）に示す如く、例えば画面左上方に「ＦＵＬＬ」の文字を表示し、撮像画像短辺に対する割合が１／８から１／２の大きさの顔のみを検出するように検出条件が設定されたときには図１４（ｂ）に示す如く、例えば画面上方に「ＬＩＭＩＤＥＤ（ＳＩＺＥ：１／８〜１／２ ＯＫ）」を表示する。なお「ＬＩＭＩＴＥＤ」のみを表示させてもよい。
【００９７】
ここで図１５に検出条件として顔の大きさを設定したときの設定処理のフローチャートを示す。先ず図１５に示す如く、ＣＰＵ７５は「大きさ指定」が選択（図５（ａ）、図５（ｂ）の９７参照）されたか否かを判別し（ステップＳ５０）、「大きさ指定」が選択されていない場合（ステップＳ５０；ＮＯ）には、全ての顔を検出対象として顔検出条件を設定し（ステップＳ５１）、モニタ１８画面上に図１４（ａ）に示す如く「ＦＵＬＬ」を表示する（ステップＳ５２）。
【００９８】
一方「大きさ指定」が選択されている場合（ステップＳ５０；ＹＥＳ）には、ＣＰＵ７５はユーザによる設定の確認を行って（ステップＳ５３）、検出対象となる顔の大きさの上限値が下限値より大きい値であるか否かを判別する（ステップＳ５４）。
【００９９】
そして大きさの上限値が下限値よりも大きい値である場合（ステップＳ５４；ＹＥＳ）、ＣＰＵ７５は、設定された検出対象の範囲（図５（ａ）の９８又は図５（ｂ）の９９参照：１／８〜１／２）を検出条件として設定し（ステップＳ５５）、モニタ１８画面上に図１４（ｂ）に示す如く「ＬＩＭＩＤＥＤ（ＳＩＺＥ：１／８〜１／２ ＯＫ）」を表示する（ステップＳ５６）。
【０１００】
またステップＳ５４にて、大きさの上限値が下限値よりも小さい値である場合（ステップＳ５４；ＮＯ）、ＣＰＵ７５は大きさの上限値が下限値よりも大きい値になるように例えば表示制御部７１を介してモニタ１８に警告表示させ（ステップＳ５７）、ユーザに再度設定を行わせるようにして、ステップＳ５３へ処理を移行する。このようにして設定処理を行う。
【０１０１】
なお検出対象とする顔に制限がある場合とない場合とで区別した表示は、顔検出部６５による顔検出が開始される前に行い、例えば上記と同様に、表示された検出条件で設定してもよいか否かをユーザによって選択可能としてもよい。この場合には、検出条件設定部６６により設定された検出対象となる顔の大きさの範囲が、ユーザの意図するものであるか否かを視覚的に確認することができるので、ユーザが意図しない検出条件が設定されるのを防止することができる。
【０１０２】
また検出対象とする顔に制限がある場合とない場合とで区別した表示は、図１４（ａ）、図１４（ｂ）に示す如く、顔検出部６５による顔検出結果である顔検出枠Ｆと共にスルー画像に表示させてもよい。この場合には、ユーザが設定した検出条件が撮像画面上に表示されることにより、ユーザが意図しない検出条件での顔検出結果が例えばＡＦ処理等に利用されるのを防止することが可能となる。
【０１０３】
次に本発明にかかる第三の実施形態のデジタルカメラ１−３について図面を参照して詳細に説明する。図１６はデジタルカメラ１−３の機能構成を示すブロック図、図１７は画像ファイルに記載されるタグ情報の一例、図１８は画像ファイル再生時の表示例である。
【０１０４】
本実施形態のデジタルカメラ１−３は、図１６に示す如く、上記実施形態のデジタルカメラ１−２の構成にタグ情報記載部７８及びタグ情報表示制御部７９をさらに備えたものである。なお本実施形態のデジタルカメラ１−３は上述した実施形態のデジタルカメラ１−２と同じ箇所は同符号で示して説明を省略する。
【０１０５】
タグ情報記載部７８は、圧縮／伸長処理部６７等によって生成された画像ファイルを外部記録メディア７０又は図示しない内部メモリに記録するときに、この画像ファイルのタグ情報に検出条件を記載する。記載されるタグ情報は、例えば図１７に示す如く、顔検出設定１２０についての設定項目を顔検出ＯＮ／ＯＦＦ１２１、向き１２２、傾き１２３、大きさ１２４、エリア１２５とし、設定結果を例えば顔検出ＯＮ／ＯＦＦ１２１はＯＮ、向き１２２は正面、傾き１２３は全方向、大きさ１２４は１／８〜１／２、エリア１２５は中央５０％の内側とする。このようにタグ情報に検出条件を記載することにより、顔検出結果を利用する、例えば明るさ補正や色補正等のアプリケーションと連携するときに、アプリケーションとの親和性を強化することが可能となる。
【０１０６】
タグ情報表示制御部７９は、上述のようにタグ情報記載部７８によってタグ情報が記載された画像ファイルをモニタ１８に表示するときに、タグ情報に記載された検出条件をモニタ１８に表示する。ここで図１９に画像再生処理のフローチャートを示す。
【０１０７】
画像再生処理は、デジタルカメラ１−３において動作モードが再生モードに設定されたときに行う処理（図９中ステップＳ３３参照）であり、先ず図１９に示す如く、メディア制御部６９が外部記録メディア７０に記憶された画像ファイルを読み出し（ステップＳ６０）、ＣＰＵ７５はタグの情報表示がＯＮに設定されているか否かを判別する（ステップＳ６１）。このとき情報表示のＯＮ／ＯＦＦはユーザが各種ボタンやレバー等を操作することにより設定可能としてもよいし、タグに情報が記載されている場合に自動的にＯＮに設定されるようにしてもよい。
【０１０８】
そしてＯＮに設定されている場合（ステップＳ６１；ＹＥＳ）には、タグ情報表示制御部７９がファイル名、日時、絞り、シャッタスピードを表示項目Ａ１として設定する（ステップＳ６３）。
【０１０９】
次にＣＰＵ７５は、顔検出部６５がＯＮに設定されているか否かを判別し（ステップＳ６４）、ＯＮに設定されていない場合（ステップＳ６４；ＮＯ）には、タグ情報表示制御部７９が、顔検出がＯＦＦに設定されていることを表示項目Ａ２として表示項目に追加設定して（ステップＳ６５）、画像とタグ情報に記載された表示項目Ａ１、Ａ２をモニタ１８に表示する（ステップＳ６９）。
【０１１０】
このときの表示は、例えば図１８（ｄ）に示す如く、モニタ１８に画像データを表示し、画像データが表示された画面下側に、表示項目Ａ１としてタグ情報に記載された内容「ＤＳＣＦＸＸＸＸ、２０ＸＸ.ＸＸ．ＸＸ、Ｆ５、１／１８０」を表示する。また画面上側に、表示項目Ａ２-ｄとしてタグ情報に記載された内容「ＦＡＣＥ ＤＥＴＥＣＴＩＯＮ ＯＦＦ」すなわち顔検出がＯＦＦに設定されている旨を表示する。
【０１１１】
一方、ステップＳ６４にて顔検出がＯＮに設定されている場合（ステップＳ６４；ＹＥＳ）には、タグ情報表示制御部７９が、検出条件設定部６６により設定された顔の検出条件を表示項目Ａ２として表示項目に追加設定し（ステップＳ６６）、ＣＰＵ７５は顔が見つかっているか否かを判別して（ステップＳ６７）、顔が見つかっていない場合（ステップＳ６７；ＮＯ）には、画像とタグ情報に記載された表示項目Ａ１、Ａ２をモニタ１８に表示する（ステップＳ６９）。
【０１１２】
このときの表示は、例えば図１８（ｃ）に示す如く、モニタ１８に画像データを表示し、画像データが表示された画面下側に、表示項目Ａ１としてタグ情報に記載された内容「ＤＳＣＦＸＸＸＸ、２０ＸＸ.ＸＸ．ＸＸ、Ｆ５、１／１８０」を表示する。また画面上側に、表示項目Ａ２-ｃとしてタグ情報に記載された検出条件として、例えば「ＬＩＭＩＤＥＤ（ＳＩＺＥ：１／８〜１／２ ＯＫ）（ＡＲＥＡ：ｃｅｎｔｅｒ ５０％ （ｉｎｓｉｄｅ）ＯＫ）」すなわち顔の大きさは撮像画像短辺に対する割合が１／８〜１／２の範囲を検出対象とし、検出領域は撮像画像において長さ比が中央の５０％の内側として検出条件を制限する旨を表示する。
【０１１３】
またステップＳ６７にて顔が見つかっている場合（ステップＳ６７；ＹＥＳ）には、タグ情報表示制御部７９が、さらに顔の検出枠Ｆを表示項目に追加して（ステップＳ６８）、画像、タグ情報に記載された表示項目Ａ１、Ａ２及び表示項目である検出枠Ｆを表示する（ステップＳ６９）。
【０１１４】
このときの表示は、例えば図１８（ｂ）に示す如く、モニタ１８に画像データを表示し、画像データが表示された画面下側に、表示項目Ａ１としてタグ情報に記載された内容「ＤＳＣＦＸＸＸＸ、２０ＸＸ.ＸＸ．ＸＸ、Ｆ５、１／１８０」を表示する。また画面上側に、表示項目Ａ２-ｂとしてタグ情報に記載された検出条件、例えば「ＬＩＭＩＤＥＤ（ＳＩＺＥ：１／８〜１／２ ＯＫ）（ＡＲＥＡ：ｃｅｎｔｅｒ ５０％ （ｉｎｓｉｄｅ）ＯＫ）」すなわち顔の大きさは撮像画像短辺に対する割合が１／８〜１／２の範囲を検出対象とし、検出領域は撮像画像において長さ比が中央の５０％の内側として検出条件を制限する旨を表示する。そしてさらに検出された顔を囲む検出枠Ｆを表示する。
【０１１５】
なおタグ情報に記載された検出条件が全ての顔を検出対象とするものである場合には、図１８（ａ）に示す如く、表示項目Ａ２−ａとして「ＦＵＬＬ」すなわち全ての顔を検出対象とする旨を表示する。
【０１１６】
またステップＳ６１にて情報表示がＯＮに設定されていない場合（ステップＳ６１；ＮＯ）には、表示制御部７１が画像のみをモニタ１８に表示する（ステップＳ６２）。このようにして画像再生処理を行う。
【０１１７】
検出条件設定部６６により検出条件が変更可能である場合に、外部記録メディア７０又は図示しない内部メモリに記録された画像データがどのような検出条件の設定で撮影したものなのか分からなくなってしまう可能性があるが、上記のように検出条件を画像ファイルのタグ情報に記載しておくことにより、画像再生時にこの記載された検出条件を読み出すことで、顔検出結果と共に、撮影時に設定されていた検出条件を表示することができる。
【０１１８】
これにより、例えば顔が検出されていなかった場合に、なぜ検出されなかったのかユーザが把握し易くなり、今後似たようなシーンの撮影を行う場合の検出条件の設定に役立てることが可能となるので、将来の撮影に対して適切な検出条件を設定することができる。
【０１１９】
次に本発明にかかる第四の実施形態のデジタルカメラ１−４について詳細に説明する。本実施形態のデジタルカメラ１−４は、上記実施形態のデジタルカメラ１−３の機能構成（図１６参照）と概略同様の構成であるため、図示は省略する。
【０１２０】
本実施形態のデジタルカメラ１−４では、検出条件設定部６６が、画像ファイルのタグ情報に記載された検出条件とは異なる検出条件を再設定可能なものであり、顔検出部６５が、外部記録メディア７０又は図示しない内部メモリに記録された画像ファイルの画像データに対して、検出条件設定部６６により再設定された検出条件に基づいて顔の検出を行う。
【０１２１】
ここで図２０（ａ）に撮影時の検出条件設定での顔検出結果の表示例、図２０（ｂ）に記録後の顔検出結果の表示例を示す。通常、画像ファイルの記録後に行う画像再生処理時には、撮影時と比較して時間に余裕がある場合が多い。そこで検出条件設定部６６によって、画像再生処理を行う画像ファイルのタグ情報に記載された撮影時の検出条件とは異なる、例えば検出対象の範囲を広くした検出条件に再設定することにより、再設定前すなわち撮影時の検出条件に基づく顔検出では、図２０（ａ）に示す如く、顔Ｆ１のみが検出されていても、記録後すなわち検出条件を再設定後には、図２０（ｂ）に示す如く、再生時に検出されなかった顔Ｆ２を検出させることが可能となる。
【０１２２】
図２１は記録後の画像データに対する顔検出処理のフローチャートである。記録後の顔検出は、図２１に示す如く、メディア制御部６９が外部記録メディア７０に記憶された画像ファイルを読み出す（ステップＳ７０）。
【０１２３】
そして次に検出条件設定部６６がタグ情報に記載された撮影時の顔の検出条件を取得し（ステップＳ７１）、検出対象に制限があるか否かを判別する（ステップＳ７２）。検出対象に制限がない場合（ステップＳ７２；ＹＥＳ）には、撮影時に全ての顔が検出対象とされた検出条件で顔の検出が行われているので、タグ情報に記載する追加情報はなしとする（ステップＳ７３）。
【０１２４】
一方検出対象に制限がある場合（ステップＳ７２；ＮＯ）には、撮影時に検出対象が制限された検出条件で顔の検出が行われているので、検出条件設定部６６が検出対象を制限しない、つまり全ての顔を検出対象として検出条件を再設定し、顔検出部６５はこの再設定された検出条件に基づいて画像再生されている画像データから顔の検出を行う（ステップＳ７４）。
【０１２５】
そしてタグ情報記載部７８が、再設定された今回の検出条件及び検出結果をタグ情報に追加記載する（ステップＳ７５）。
【０１２６】
ここで図２２に、追加記載されたタグ情報の一例を示す。タグ情報は、例えば図２２に示す如く、顔検出１３０について、撮影時１３１の設定１３２の項目を顔検出ＯＮ／ＯＦＦ１３３、向き１３４、傾き１３５、大きさ１３６、エリア１３７とし、設定結果を例えば顔検出ＯＮ／ＯＦＦ１３３はＯＮ、向き１３４は正面、傾き１３５は全方向、大きさ１３６は１／８〜１／２、エリア１３７は中央５０％の内側として記載し、さらに顔検出の結果１３８の項目を検出顔数１３９、位置１４０、大きさ１４１とし、例えば図２０（ａ）に示す結果として、検出顔数１３９は１、位置１４０は例えば画面中央を原点としたときの座標を用いたときには、顔Ｆ１[左下（ＸＬ、YＬ）右上（ＸＲ、ＹＲ）]（図示せず）とし、大きさ１４１は顔Ｆ１［１／３］（図示せず）として記載する。
【０１２７】
そして記録後１４２の設定１４３を検出対象制限なし１４４とし、顔検出の結果１４５を、上記と同様に、検出顔数１４６は２、位置１４７は顔Ｆ１[左下（ＸＬ１、ＹＬ１）右上（ＸＲ１、ＹＲ１）]、顔Ｆ２[左下（ＸＬ２、ＹＬ２）右上（ＸＲ２、ＹＲ２）]（図示せず）とし、大きさ１４１は顔Ｆ１［１／３］、顔Ｆ２［１／４］（図示せず）として追加記載する。以上のようにして顔の検出を行う。
【０１２８】
なお本実施形態ではタグ情報は、図２２に示す如く、撮影時の設定及び結果すなわち顔検出情報に記録後の顔検出情報を追加して記載する形式としたが、例えば記録後つまり最新の顔検出情報が残るように上書きで記載する形式としてもよい。
【０１２９】
また図２３に記録後の画像データに対する顔検出処理の別のフローチャートを示す。なお図２３において図２１のフローチャートと同じ処理は、同じステップ番号で示して説明は省略する。
【０１３０】
記録後の顔検出は、図２３に示す如く、ステップＳ７２にて検出対象に制限があると判別された場合（ステップＳ７２；ＮＯ）には、撮影時に検出対象が制限された検出条件で顔の検出が行われているので、検出条件設定部６６は撮影時に検出対象外であった顔を検出対象とするように検出条件を再設定して、顔検出部６５はこの再設定された検出条件に基づいて画像再生されている画像データから顔の検出を行う（ステップＳ７４’）。
【０１３１】
これにより、撮影時に検出された顔Ｆ１（図２０（ａ）参照）以外の顔Ｆ２（図２０（ｂ）参照）を検出することが可能となり、タグ情報に顔検出結果１４５（図２２参照）として顔Ｆ２の情報を追加して記載することが可能となる。
【０１３２】
以上のように、検出条件を再設定して記録後の画像データにおいて顔検出を行うことにより、撮影時には検出されなかった顔を、記録後の画像データから検出することが可能となるので、顔検出結果を利用する、例えば明るさ補正や色補正等のアプリケーションにおいて、より適切な処理を施すことが可能となる。
【０１３３】
なお本実施形態では検出条件設定部６６が、検出条件を画像ファイルのタグ情報に記載された検出条件よりも検出対象の範囲が広くなるように再設定しているが、本発明はこれに限られるものではなく、検出対象の範囲が狭くなるように再設定してもよい。この場合、記録後に誤検出が見つかったときに、誤検出された顔を排除することができる可能性がある。
【０１３４】
次に図２４に記録後の画像データに対する顔検出処理のさらに別のフローチャートを示す。なお図２４において図２１のフローチャートと同じ処理は、同じステップ番号で示して説明は省略する。
【０１３５】
記録後の顔検出は、図２４に示す如く、ステップＳ７２にて検出対象に制限があるとされて（ステップＳ７２；ＮＯ）、検出条件設定部６６が検出対象を制限しないで検出条件を再設定し、顔検出部６５がこの再設定された検出条件に基づいて画像再生されている画像データから顔の検出を行った後（ステップＳ７４）に、ＣＰＵ７５は表示制御部７１を介して、この顔検出の結果をモニタ１８に表示する（ステップＳ７６）。
【０１３６】
次にＣＰＵ７５は、ユーザによってタグ情報の更新が許可されたか否かを判別する（ステップＳ７７）。このときユーザによる許可は、例えばモニタ１８に前記更新を許可するか否かを表示し、ユーザが各種ボタンやレバー等を操作することにより選択するようにしてもよい。
【０１３７】
そしてＣＰＵ７５が、タグ情報の更新が許可されたと判別した場合（ステップＳ７７；ＹＥＳ）には、タグ情報記載部７８が、再設定された今回の検出条件及び検出結果をタグ情報に追加記載する（ステップＳ７５）。
【０１３８】
一方、タグ情報の更新が許可されていないと判別した場合（ステップＳ７７；ＮＯ）には、タグ情報に記載する追加情報はなしとする（ステップＳ７３）。
【０１３９】
これにより、ユーザが顔検出結果を確認後にタグ情報を追加記載するので、記録後の画像データに対する顔検出処理の結果が、例えば撮影時の顔検出では生じていなかった誤検出がある等、ユーザが所望する結果とは異なるものであった場合に、タグ情報の追加記載を行わないようにすることが可能となる。
【０１４０】
以上により、画像ファイルの記録後にその画像ファイルの撮影時とは異なる検出条件を再設定し、再生された前記画像ファイルの画像データに対して再設定された検出条件に基づいて顔の検出を行うことにより、その画像データにおいてより適切な顔検出の結果を得ることが可能となる。
【０１４１】
次に本発明にかかる第五の実施形態のデジタルカメラ１−５について詳細に説明する。本実施形態のデジタルカメラ１−５は、上記実施形態のデジタルカメラ１−４の機能構成と概略同様の構成であるため、図示は省略する。
【０１４２】
本実施形態のデジタルカメラ１−５では、検出条件設定部６６が、前記画像ファイルのタグ情報に記載された検出条件を取得し、取得した検出条件を保持可能なものであり、顔検出部６５が、保持された検出条件に基づいて顔の検出を行う。ここで図２５に画像ファイル再生時の表示例、図２６に画像再生処理のフローチャートを示す。なお図２６において図１９のフローチャートと同じ処理は、同じステップ番号で示して説明は省略する。
【０１４３】
デジタルカメラ１−５における画像再生処理は、図２６に示す如く、ステップＳ６４にて顔検出がＯＮに設定されていた場合（ステップＳ６４；ＹＥＳ）に、ステップＳ６９にてタグ情報表示制御部７９が、図２５に示す如く、画像とタグ情報に記載された検出条件を含む表示項目Ａ１、Ａ２-ｂ、顔が検出された場合には表示項目として検出枠Ｆをモニタ１８に表示し（ステップＳ６９）、さらにタグ情報に記載された検出条件での設定を保持するか否かをユーザに選択させる項目Ａ３をモニタ１８に表示させる。
【０１４４】
そしてＣＰＵ７５は、ユーザが検出条件の保持を選択したか否かを判別し（ステップＳ９０）、検出条件の保持が選択されている場合（ステップＳ９０；ＹＥＳ）には、検出条件設定部６６が、タグ情報に記載された検出条件を読み出して取得し、取得した検出条件を保持し、以後の顔検出条件として設定する（ステップＳ９１）。
【０１４５】
一方、検出条件の保持が選択されていない場合（ステップＳ９０；ＮＯ）には、検出条件を例えばデフォルトに設定して処理を終了する。
【０１４６】
上記のように、画像ファイルの再生処理を行うときに、その画像ファイルの撮影時における検出条件及び顔検出結果として検出枠Ｆがモニタ１８に表示され、モニタ１８に表示された検出条件で所望する顔検出結果が得られているか否かをユーザが確認し、所望する顔検出結果が得られている場合にはその検出条件を保持して、保持された検出条件を以後の顔検出に適用することができるので、顔検出部６５はユーザが所望する顔検出処理を安定して行うことが可能となる。
【０１４７】
なお、保持された検出条件は、次回の撮影時に、スルー画像等のＣＣＤ５８により取得された画像データに対して顔検出部６５が行う顔検出処理に使用してもよいし、外部記録メディア７０又は図示しない内部メモリに記録後に画像再生処理が行われた画像データに対して使用してもよい。
【０１４８】
このように、検出条件設定部６６によりユーザが個別に検出条件を設定可能な場合に、ユーザが所望する顔検出結果を得られたことが確認された検出条件を保持することにより、顔検出部６５はユーザが所望する顔検出処理を安定して行うことが可能となる。
【０１４９】
次に本発明にかかる第六の実施形態のデジタルカメラ１−６について図面を参照して詳細に説明する。図２７はデジタルカメラ１−６の機能構成を示すブロック図、図２８は顔検出処理のフローチャート、図２９は顔検出結果の表示例である。
【０１５０】
本実施形態のデジタルカメラ１−６は、図２７に示す如く、上述の第一の実施形態のデジタルカメラ１の構成（図３参照）にセルフタイマー撮影部８０をさらに備えたものである。なお本実施形態のデジタルカメラ１−６は、第一の実施形態のデジタルカメラ１と同じ箇所は同符号で示して説明を省略する。
【０１５１】
セルフタイマー撮影部（セルフタイマー撮影手段）８０は、レリーズボタン１９の全押しから本露光撮影が開始するまでの予め設定された所定の待機時間（例えばレリーズボタン１９の全押しから５秒間）の経過を計時するタイマー部（図示せず）を備えるものであり、待機時間の０を計時したときにレリーズボタン１９の押下信号がシャッタ駆動部５７に出力されるように、タイミングジェネレータ７２を介して制御している。また前記待機時間の間、上述のセルフタイマーランプ２５を点滅させて本露光撮影の開始のタイミングを撮影者等に知らせる。
【０１５２】
なおセルフタイマー撮影部６６によるセルフタイマーのＯＮ／ＯＦＦは、モニタ１８に表示させて選択するものであってもよいし、デジタルカメラ１−６の本体１０の背面に図示しないセルフタイマーボタンを配設してＯＮ／ＯＦＦを設定しても良い。
【０１５３】
以下、上記構成のデジタルカメラ１−６において、顔検出部６５による顔検出処理について説明する。
【０１５４】
例えば顔検出部６５により複数の顔が検出されたときに中央よりの顔領域にＡＦエリアを設定するように制御されたデジタルカメラ１−６で、セルフタイマー撮影によって撮影者自身を被写体とした撮影を行う場合に、通常、撮影者はレリーズボタン１９を全押ししてから撮影レンズ２０の前に立つので、撮影者は自分の顔が写っている正確な位置がわからない、つまり自分の顔が中央付近にあるのか否かがわからないため、自分の顔領域がＡＦエリアに設定されているか否かを確認することができない。そこで自分以外にも顔が存在する撮影環境でセルフタイマー撮影を行う際には、自分に確実にＡＦ等の撮影条件が照準されるようにすることが必要となる。
【０１５５】
一般的にセルフタイマー撮影時には主要被写体となる人物の顔は撮影レンズ２０に対して正面を向いている場合が多い。しかしながら顔検出部６５が、例えばデフォルト設定により横顔と正面顔とを検出する場合には、図２９（ａ）に示す如く、撮影視野の中央付近に撮影者が意図しない被写体である横顔Ｆ１が存在する撮影環境下で、撮影者が意図する主要被写体（例えば撮影者自身等）を撮影するとき、顔検出部６５は横顔Ｆ１と主要被写体である正面顔Ｆ２を検出するが、横顔Ｆ１の方が中央よりに位置しているために横顔Ｆ１の顔領域がＡＦエリアに設定されてしまう。
【０１５６】
そこで本実施形態のデジタルカメラ１−６では、顔検出部６５が、セルフタイマー撮影時には正面顔のみを検出するように検出条件設定部６６によって設定された検出条件に基づいて顔の検出を行うようにする。
【０１５７】
顔検出処理は、図２８に示す如く、先ずＣＰＵ７５はセルフタイマーがＯＮに設定されているか否かを判別する（ステップＳ１００）。セルフタイマーがＯＮに設定されていない場合（ステップＳ６０；ＮＯ）には、顔検出部６５は、正面顔と横顔の両方を検出するようにデフォルトで設定されている検出条件に基づいて顔の検出を行う（ステップＳ１０１）。
【０１５８】
一方、セルフタイマーがＯＮに設定されている場合（ステップＳ１００；ＹＥＳ）には、ユーザが予め検出条件設定部６６によって、正面顔のみを検出し、横顔を検出しないように設定した検出条件に基づいて顔検出部６５が顔の検出を行う（ステップＳ１０２）。
【０１５９】
このようにセルフタイマー撮影がＯＮにされているときのみに、検出条件設定部６６によりユーザが予め顔の向きを制限して設定した検出条件に基づいて顔検出部６５が正面顔のみを検出するように顔検出を行うことができるので、上述した図２９（ａ）と同様の撮影環境下であっても、顔検出部６５は、図２９（ｂ）に示す如く、主要被写体の正面顔Ｆ２’のみを検出するので、例えば撮影者自身等の主要被写体の正面顔に、確実にＡＦ等の撮影条件を照準させることが可能となる。
【０１６０】
なお本実施形態ではユーザが検出条件設定部６６によって横顔を検出しないように検出条件を設定したが、本発明はこれに限られるものではなく、例えば上向き顔、下向き顔、傾き顔等を検出しないように設定してもよい。
【０１６１】
なお本発明の撮像装置は、上述した実施形態のデジタルカメラに限られるものではなく、本発明の趣旨を逸脱しない範囲において適宜設計変更可能である。
【図面の簡単な説明】
【０１６２】
【図１】デジタルカメラの背面斜視図
【図２】デジタルカメラの前面斜視図
【図３】デジタルカメラの機能ブロック図
【図４】検出条件として顔の向きを設定するときのメニュー画面の表示例
【図５】検出条件として顔の大きさを設定するときのメニュー画面の表示例
【図６】検出条件として顔の傾きを設定するときのメニュー画面の表示例
【図７】検出条件として検出領域を設定するときのメニュー画面の表示例
【図８】検出条件として顔の向きを設定するときの顔検出設定処理のフローチャート
【図９】デジタルカメラの一連の処理のフローチャート
【図１０】第二の実施形態のデジタルカメラの機能ブロック図
【図１１】図１０のデジタルカメラにおいて検出条件として顔の傾きを設定するときの（ａ）メニュー画面の表示例及び（ｂ）図示表示例
【図１２】図１１の顔検出傾き設定処理のフローチャート
【図１３】図１０のデジタルカメラにおいて検出条件として検出領域を設定するときの（ａ）メニューの表示例及び（ｂ）図示表示例
【図１４】検出条件として顔の大きさを設定したときの表示例
【図１５】図１４の顔検出条件設定処理のフローチャート
【図１６】第三の実施形態のデジタルカメラの機能ブロック図
【図１７】タグ情報の一例
【図１８】画像ファイル再生時の表示例
【図１９】画像再生処理のフローチャート
【図２０】（ａ）撮影時の検出条件設定での顔検出結果の表示例、（ｂ）記録後の顔検出結果の表示例
【図２１】記録後の画像データに対する顔検出処理のフローチャート
【図２２】追加記載されたタグ情報の一例
【図２３】記録後の画像データに対する顔検出処理の第二のフローチャート
【図２４】記録後の画像データに対する顔検出処理の第三のフローチャート
【図２５】画像ファイル再生時の表示例
【図２６】画像再生処理の第二のフローチャート
【図２７】第六の実施形態のデジタルカメラの機能ブロック図
【図２８】図２７のデジタルカメラにおける顔検出処理のフローチャート
【図２９】図２８の顔検出結果の表示例
【符号の説明】
【０１６３】
１    デジタルカメラ（撮像装置）
１８  モニタ
１９  レリーズボタン（撮影指示手段）
５８  ＣＣＤ（撮像手段）
６５  顔検出部（対象物検出手段）
６６  検出条件設定部（検出条件設定手段）
６９  メディア制御部（記録手段）
７７  検出条件表示部（検出条件表示手段）
７８  タグ情報記載部（タグ情報記載手段）
７９  タグ情報表示制御部（タグ情報表示制御手段）
【図１】
2008311920.tif 000003
【図２】
2008311920.tif 000004
【図３】
2008311920.tif 000005
【図４】
2008311920.tif 000006
【図５】
2008311920.tif 000007
【図６】
2008311920.tif 000008
【図７】
2008311920.tif 000009
【図８】
2008311920.tif 000010
【図９】
2008311920.tif 000011
【図１０】
2008311920.tif 000012
【図１１】
2008311920.tif 000013
【図１２】
2008311920.tif 000014
【図１３】
2008311920.tif 000015
【図１４】
2008311920.tif 000016
【図１５】
2008311920.tif 000017
【図１６】
2008311920.tif 000018
【図１７】
2008311920.tif 000019
【図１８】
2008311920.tif 000020
【図１９】
2008311920.tif 000021
【図２０】
2008311920.tif 000022
【図２１】
2008311920.tif 000023
【図２２】
2008311920.tif 000024
【図２３】
2008311920.tif 000025
【図２４】
2008311920.tif 000026
【図２６】
2008311920.tif 000027
【図２７】
2008311920.tif 000028
【図２８】
2008311920.tif 000029
【図２９】
2008311920.tif 000030
【図２５】
2008311920.tif 000031